(57)【特許請求の範囲】
【請求項１】
送信装置、管理サーバおよび表示装置を備えており、吸入器の使用に関する情報を、上記送信装置から上記管理サーバを介して上記表示装置に送信する喘息治療支援システムであって、
上記送信装置が、
ユーザによる上記吸入器の操作を検出する検出手段と、
上記検出に基づいて上記吸入器の作動を表す作動情報を出力する出力手段と、
上記作動情報に基づいて上記吸入器の使用回数を表す使用回数情報を算出する使用回数算出手段と、
上記出力手段からの上記作動情報の出力に基づいて、上記吸入器の使用時刻を表す使用時刻情報を生成する使用時刻情報生成手段と、
上記使用時刻情報と関連付けられた上記使用回数情報を上記管理サーバに送信する送信手段と
を備えており、
上記管理サーバが、
上記送信装置からの上記使用時刻情報と関連付けられた上記使用回数情報を受信する受信手段と、
上記使用時刻情報と関連付けられた上記使用回数情報を記憶する記憶手段と、
上記使用時刻情報と関連付けられた上記使用回数情報を上記表示装置に送信する送信手段と
を備えており、
上記表示装置が、
上記管理サーバからの上記使用時刻情報と関連付けられた上記使用回数情報を受信する受信手段と、
上記使用時刻情報と関連付けられた上記使用回数情報を表示する表示手段と
を備えていることを特徴とする喘息治療支援システム。
【請求項２】
送信装置、管理サーバおよび表示装置を備えており、吸入器の使用に関する情報を、上記送信装置から上記管理サーバを介して上記表示装置に送信する喘息治療支援システムであって、
上記送信装置が、
ユーザによる上記吸入器の操作を検出する検出手段と、
上記検出に基づいて上記吸入器の作動を表す作動情報を出力する出力手段と、
上記作動情報に基づいて上記吸入器の使用回数を表す使用回数情報を算出する使用回数算出手段と、
上記出力手段からの上記作動情報の出力に基づいて、上記吸入器の使用位置を表す使用位置情報を取得する使用位置情報取得手段と、
上記使用位置情報と関連付けられた上記使用回数情報を上記管理サーバに送信する送信手段と
を備えており、
上記管理サーバが、
上記送信装置からの上記使用位置情報と関連付けられた上記使用回数情報を受信する受信手段と、
上記使用位置情報と関連付けられた上記使用回数情報を記憶する記憶手段と、
上記使用位置情報と関連付けられた上記使用回数情報を上記表示装置に送信する送信手段と
を備えており、
上記表示装置が、
上記管理サーバからの上記使用位置情報と関連付けられた上記使用回数情報を受信する受信手段と、
上記使用位置情報と関連付けられた上記使用回数情報を表示する表示手段と
を備えていることを特徴とする喘息治療支援システム。
【請求項３】
送信装置、管理サーバおよび表示装置を備えており、吸入器の使用に関する情報を、上記送信装置から上記管理サーバを介して上記表示装置に送信する喘息治療支援システムであって、
上記送信装置が、
ユーザによる上記吸入器の操作を検出する検出手段と、
上記検出に基づいて上記吸入器の作動を表す作動情報を出力する出力手段と、
上記作動情報に基づいて上記吸入器の使用回数を表す使用回数情報を算出する使用回数算出手段と、
上記出力手段からの上記作動情報の出力に基づいて、上記吸入器の使用時刻を表す使用時刻情報を生成する使用時刻情報生成手段と、
上記出力手段からの上記作動情報の出力に基づいて、上記吸入器の使用位置を表す使用位置情報を取得する使用位置情報取得手段と、
上記使用時刻情報および上記使用位置情報と関連付けられた上記使用回数情報を上記管理サーバに送信する送信手段と
を備えており、
上記管理サーバが、
上記送信装置からの上記使用時刻情報および上記使用位置情報と関連付けられた上記使用回数情報を受信する受信手段と、
上記使用時刻情報および上記使用位置情報と関連付けられた上記使用回数情報を記憶する記憶手段と、
上記使用時刻情報および上記使用位置情報と関連付けられた上記使用回数情報を上記表示装置に送信する送信手段と
を備えており、
上記表示装置が、
上記管理サーバからの上記使用時刻情報および上記使用位置情報と関連付けられた上記使用回数情報を受信する受信手段と、
上記使用時刻情報および上記使用位置情報と関連付けられた上記使用回数情報を表示する表示手段と
を備えていることを特徴とする喘息治療支援システム。
【請求項４】
送信装置、携帯端末装置、管理サーバおよび表示装置を備えており、吸入器の使用に関する情報を、上記送信装置から上記管理サーバを介して上記表示装置に送信する喘息治療支援システムであって、
上記送信装置が、
ユーザによる上記吸入器の操作を検出する検出手段と、
上記検出に基づいて上記吸入器の作動を表す作動情報を出力する出力手段と、
上記作動情報に基づいて上記吸入器の使用回数を表す使用回数情報を算出する使用回数算出手段と、
上記使用回数情報を上記携帯端末装置に送信する送信手段と
を備えており、
上記携帯端末装置が、
上記送信装置からの上記使用回数情報を受信する受信手段と、
上記使用回数情報の受信に基づいて、上記吸入器の使用時刻を表す使用時刻情報を生成する使用時刻情報生成手段と、
上記使用時刻情報と関連付けられた上記使用回数情報を上記管理サーバに送信する送信手段と
を備えており、
上記管理サーバが、
上記携帯端末装置からの上記使用時刻情報と関連付けられた上記使用回数情報を受信する受信手段と、
上記使用時刻情報と関連付けられた上記使用回数情報を記憶する記憶手段と、
上記使用時刻情報と関連付けられた上記使用回数情報を上記表示装置に送信する送信手段と
を備えており、
上記表示装置が、
上記管理サーバからの上記使用時刻情報と関連付けられた上記使用回数情報を受信する受信手段と、
上記使用時刻情報と関連付けられた上記使用回数情報を表示する表示手段と
を備えていることを特徴とする喘息治療支援システム。
【請求項５】
送信装置、携帯端末装置、管理サーバおよび表示装置を備えており、吸入器の使用に関する情報を、上記送信装置から上記管理サーバを介して上記表示装置に送信する喘息治療支援システムであって、
上記送信装置が、
ユーザによる上記吸入器の操作を検出する検出手段と、
上記検出に基づいて上記吸入器の作動を表す作動情報を出力する出力手段と、
上記作動情報に基づいて上記吸入器の使用回数を表す使用回数情報を算出する使用回数算出手段と、
上記使用回数情報を上記携帯端末装置に送信する送信手段と
を備えており、
上記携帯端末装置が、
上記送信装置からの上記使用回数情報を受信する受信手段と、
上記使用回数情報の受信に基づいて、上記吸入器の使用位置を表す使用位置情報を取得する使用位置情報取得手段と、
上記使用位置情報と関連付けられた上記使用回数情報を上記管理サーバに送信する送信手段と
を備えており、
上記管理サーバが、
上記携帯端末装置からの上記使用位置情報と関連付けられた上記使用回数情報を受信する受信手段と、
上記使用位置情報と関連付けられた上記使用回数情報を記憶する記憶手段と、
上記使用位置情報と関連付けられた上記使用回数情報を上記表示装置に送信する送信手段と
を備えており、
上記表示装置が、
上記管理サーバからの上記使用位置情報と関連付けられた上記使用回数情報を受信する受信手段と、
上記使用位置情報と関連付けられた上記使用回数情報を表示する表示手段と
を備えていることを特徴とする喘息治療支援システム。
【請求項６】
送信装置、携帯端末装置、管理サーバおよび表示装置を備えており、吸入器の使用に関する情報を、上記送信装置から上記管理サーバを介して上記表示装置に送信する喘息治療支援システムであって、
上記送信装置が、
ユーザによる上記吸入器の操作を検出する検出手段と、
上記検出に基づいて上記吸入器の作動を表す作動情報を出力する出力手段と、
上記作動情報に基づいて上記吸入器の使用回数を表す使用回数情報を算出する使用回数算出手段と、
上記使用回数情報を上記携帯端末装置に送信する送信手段と
を備えており、
上記携帯端末装置が、
上記送信装置からの上記使用回数情報を受信する受信手段と、
上記使用回数情報の受信に基づいて、上記吸入器の使用時刻を表す使用時刻情報を生成する使用時刻情報生成手段と、
上記使用回数情報の受信に基づいて、上記吸入器の使用位置を表す使用位置情報を取得する使用位置情報取得手段と、
上記使用時刻情報および上記使用位置情報と関連付けられた上記使用回数情報を上記管理サーバに送信する送信手段と
を備えており、
上記管理サーバが、
上記携帯端末装置からの上記使用時刻情報および上記使用位置情報と関連付けられた上記使用回数情報を受信する受信手段と、
上記使用時刻情報および上記使用位置情報と関連付けられた上記使用回数情報を記憶する記憶手段と、
上記使用時刻情報および上記使用位置情報と関連付けられた上記使用回数情報を上記表示装置に送信する送信手段と
を備えており、
上記表示装置が、
上記管理サーバからの上記使用時刻情報および上記使用位置情報と関連付けられた上記使用回数情報を受信する受信手段と、
上記使用時刻情報および上記使用位置情報と関連付けられた上記使用回数情報を表示する表示手段と
を備えていることを特徴とする喘息治療支援システム。
【請求項７】
上記管理サーバが、上記記憶手段に記憶されている上記使用回数情報および上記使用時刻情報に基づいて、上記吸入器の使用履歴を表す使用履歴情報を生成する使用履歴情報生成手段と、上記使用履歴情報を上記表示装置に送信する使用履歴情報送信手段とをさらに備えており、
上記表示装置が、上記管理サーバからの上記使用履歴情報を受信する使用履歴情報受信手段をさらに備えており、上記表示手段が上記使用履歴情報を表示することを特徴とする請求項１または４に記載の喘息治療支援システム。
【請求項８】
上記管理サーバが、上記記憶手段に記憶されている上記使用回数情報および上記使用位置情報に基づいて、上記吸入器の使用履歴を表す使用履歴情報を生成する使用履歴情報生成手段と、上記使用履歴情報を上記表示装置に送信する使用履歴情報送信手段とをさらに備えており、
上記表示装置が、上記管理サーバからの上記使用履歴情報を受信する使用履歴情報受信手段をさらに備えており、上記表示手段が上記使用履歴情報を表示することを特徴とする請求項２または５に記載の喘息治療支援システム。
【請求項９】
上記管理サーバが、上記記憶手段に記憶されている上記使用回数情報、上記使用時刻情報および上記使用位置情報に基づいて、上記吸入器の使用履歴を表す使用履歴情報を生成する使用履歴情報生成手段と、上記使用履歴情報を上記表示装置に送信する使用履歴情報送信手段とをさらに備えており、
上記表示装置が、上記管理サーバからの上記使用履歴情報を受信する使用履歴情報受信手段をさらに備えており、上記表示手段が上記使用履歴情報を表示することを特徴とする請求項３または６に記載の喘息治療支援システム。
【請求項１０】
上記使用履歴情報が、上記吸入器の使用に関するアドバイス、グラフまたは地図であることを特徴とする請求項７〜９のいずれか１項に記載の喘息治療支援システム。
【請求項１１】
上記管理サーバの上記送信手段が、上記送信装置からの上記使用回数情報を受信した際に、上記使用回数情報を上記表示装置に自動送信することを特徴とする請求項１〜１０のいずれか１項に記載の喘息治療支援システム。
【請求項１２】
上記表示装置が、上記使用回数情報の送信指示を上記管理サーバに送信する送信手段をさらに備えており、
上記管理サーバが、上記送信指示を受信する送信指示受信手段をさらに備えており、上記管理サーバの上記送信手段が、上記送信指示受信手段による上記送信指示の受信に基づいて、上記使用回数情報を上記表示装置に送信することを特徴とする請求項１〜１０のいずれか１項に記載の喘息治療支援システム。
【発明の詳細な説明】
【技術分野】
【０００１】
本発明は、喘息治療における吸入器の適切な使用を支援するシステムに関する。
【背景技術】
【０００２】
喘息の治療において、気管支拡張剤およびステロイド剤などを、吸入器を用いて吸入することによって患部に作用させて、炎症の軽減および発作の予防を図ることが基本である。炎症の軽減および発作の予防を目的としていることから喘息患者は、小型の吸入器を常時、携行して定期的に吸入することが一般的である。小児喘息患者でも使用が容易な吸入器がすでに普及している。
【０００３】
喘息の治療計画を適切に立てるためには、薬剤の投与量および薬剤の使用頻度を正確に把握し、かつ医師による定期的な診察を受けることが必要になる。ここで、小児などが吸入器を使用する場合には、適切な喘息の治療計画に沿った吸入器の使用に関する管理が不十分になるおそれがある。例えば、薬剤の残量を正確に把握できないこと、吸入器の使用方法が不適切なために所望の作用が得られていないこと、使用回数を誤って記憶することなどである。このように患者自身が吸入器の使用を十分に管理できない場合、保護者などが患者に代わって管理することが好ましいが、患者自身の認識の他に記録などが残るわけではなく、吸入器の使用を適切に管理することが困難であった。
【０００４】
そこで、吸入器の使用回数をカウントして表示する技術が提案されている（例えば、特許文献１）。このような技術によって、例えば、吸入器の使用回数および薬剤の残量を正確に把握することができる。
【先行技術文献】
【特許文献】
【０００５】
【特許文献１】国際公開第２００６／００４４９８号パンフレット（２００６年１月１２日公開）
【発明の概要】
【発明が解決しようとする課題】
【０００６】
しかし、上記技術は、吸入器の使用回数をカウントして表示するだけであるために、以下のような問題を生じる。
【０００７】
患者が表示された使用回数を見忘れてしまうと、薬剤の残量が少なくなっているにもかかわらず、それに気が付かないおそれがある。また、患者以外の人間が使用回数を確認できるのは、患者とその人間とが一緒にいるときに限られるので、定期的に表示を確認することが困難な上に手間がかかる。
【０００８】
本発明は、上記問題点に鑑みてなされたものであり、その目的は、吸入器の使用に関する情報を吸入器から離れた場所において確認できるシステムを提供することである。
【課題を解決するための手段】
【０００９】
上記課題を解決するために、本発明の喘息治療支援システムは、
送信装置、管理サーバおよび表示装置を備えており、吸入器の使用に関する情報を、上記送信装置から上記管理サーバを介して上記表示装置に送信する喘息治療支援システムであって、
上記送信装置が、
ユーザによる上記吸入器の操作を検出する検出手段と、
上記検出に基づいて上記吸入器の作動を表す作動情報を出力する出力手段と、
上記作動情報に基づいて上記吸入器の使用回数を表す使用回数情報を算出する使用回数算出手段と、
上記出力手段からの上記作動情報の出力に基づいて、上記吸入器の使用時刻を表す使用時刻情報を生成する使用時刻情報生成手段と、
上記使用時刻情報と関連付けられた上記使用回数情報を上記管理サーバに送信する送信手段と
を備えており、
上記管理サーバが、
上記送信装置からの上記使用時刻情報と関連付けられた上記使用回数情報を受信する受信手段と、
上記使用時刻情報と関連付けられた上記使用回数情報を記憶する記憶手段と、
上記使用時刻情報と関連付けられた上記使用回数情報を上記表示装置に送信する送信手段と
を備えており、
上記表示装置が、
上記管理サーバからの上記使用時刻情報と関連付けられた上記使用回数情報を受信する受信手段と、
上記使用時刻情報と関連付けられた上記使用回数情報を表示する表示手段と
を備えている。
【００１０】
上記構成によれば、送信装置からの吸入器の使用回数を、当該送信装置とは異なる表示装置において表示することができる。よって、送信装置から離れた場所にある表示装置において、吸入器の使用回数を表示可能である。つまり、送信装置から離れた場所において吸入器の使用回数を把握できるので、吸入器のユーザ以外にも使用回数の確認が容易である。使用回数の確認が容易であるので、使用回数の確認漏れの頻度を低減し得る。
【００１１】
また、本発明の喘息治療支援システムにおいて、
上記管理サーバの上記送信手段が、上記送信装置からの上記使用回数情報を受信した際に、上記使用回数情報を上記表示装置に自動送信してもよい。
【００１２】
上記構成によれば、送信装置から離れた場所において、吸入器の使用回数をユーザに対してリアルタイムに伝えることができる。
【００１３】
また、本発明の喘息治療支援システムにおいて、
上記表示装置が、上記使用回数情報の送信指示を上記管理サーバに送信する送信手段をさらに備えており、
上記管理サーバが、上記送信指示を受信する送信指示受信手段をさらに備えており、上記管理サーバの上記送信手段が、上記送信指示受信手段による上記送信指示の受信に基づいて、上記使用回数情報を上記表示装置に送信してもよい。
【００１４】
上記構成によれば、所望のタイミングにおいて吸入器の使用回数をユーザに伝えることができる。
【００１５】
また、本発明の喘息治療支援システムにおいて、
上記送信装置が、上記検出手段からの上記作動情報の出力に基づいて、上記吸入器の使用時刻を表す使用時刻情報を生成する使用時刻情報生成手段をさらに備えており、上記送信装置の上記送信手段が、上記使用時刻情報と関連付けられた上記使用回数情報を上記管理サーバに送信し、
上記管理サーバの上記受信手段が、上記送信装置からの上記使用時刻情報と関連付けられた上記使用回数情報を受信し、上記管理サーバの上記記憶手段が、上記使用時刻情報と関連付けられた上記使用回数情報を記憶し、上記管理サーバの上記送信手段が上記使用時刻情報と関連付けられた上記使用回数情報を上記表示装置に送信し、
上記表示装置の上記受信手段が、上記管理サーバからの上記使用時刻情報と関連付けられた上記使用回数情報を受信し、上記表示装置の上記表示手段が、上記使用時刻情報と関連付けられた上記使用回数情報を表示することが好ましい。
【００１６】
上記構成によれば、使用回数に加えて使用時刻をユーザに伝えることができる。したがって、例えば、適切な時刻に吸入器が使用された否か、吸入器の使用状況に普段とは違った点がないか否かなどを判断し得る、喘息の治療に有用な情報をユーザに提供し得る。
【００１７】
また、本発明の喘息治療支援システムにおいて、
上記送信装置が、上記検出手段からの上記作動情報の出力に基づいて、上記吸入器の使用位置を表す使用位置情報を取得する使用位置情報取得手段をさらに備えており、上記送信装置の上記送信手段が、上記使用位置情報と関連付けられた上記使用回数情報を上記管理サーバに送信し、
上記管理サーバの上記受信手段が、上記送信装置からの上記使用位置情報と関連付けられた上記使用回数情報を受信し、上記管理サーバの上記記憶手段が、上記使用位置情報と関連付けられた上記使用回数情報を記憶し、上記管理サーバの上記送信手段が上記使用位置情報と関連付けられた上記使用回数情報を上記表示装置に送信し、
上記表示装置の上記受信手段が、上記管理サーバからの上記使用位置情報と関連付けられた上記使用回数情報を受信し、上記表示装置の上記表示手段が、上記使用位置情報と関連付けられた上記使用回数情報を表示することが好ましい。
【００１８】
上記構成によれば、使用回数に加えて使用位置をユーザに伝えることができる。したがって、例えば、吸入器が使用された位置（場所）が、普段と異なっていないかなどを判断し得る、喘息の治療に有用な情報をユーザに提供し得る。
【００１９】
また、本発明の喘息治療支援システムにおいて、
上記送信装置が、上記検出手段からの上記作動情報の入力に基づいて、上記吸入器の使用時刻を表す使用時刻情報を生成する使用時刻情報生成手段と、上記検出手段からの上記作動情報の出力に基づいて、上記吸入器の使用位置を表す使用位置情報を取得する使用位置情報取得手段とをさらに備えており、上記送信装置の上記送信手段が、上記使用回数情報および上記使用時刻情報と関連付けられた上記使用位置情報を上記管理サーバに送信し、
上記管理サーバの上記受信手段が、上記送信装置からの上記使用回数情報および上記使用時刻情報と関連付けられた上記使用回数情報を受信し、上記管理サーバの上記記憶手段が、上記使用回数情報および上記使用時刻情報と関連付けられた上記使用回数情報を記憶し、上記管理サーバの上記送信手段が上記使用回数情報および上記使用時刻情報と関連付けられた上記使用回数情報を上記情報表示装置に送信し、
上記情報表示装置の上記受信手段が上記使用回数情報および上記使用時刻情報と関連付けられた上記使用回数情報を受信し、上記表示手段が上記使用回数情報および上記使用時刻情報と関連付けられた上記使用回数情報を表示することが好ましい。
【００２０】
上記構成によれば、使用回数に加えて使用時刻および使用位置をユーザに伝えることができる。したがって、吸入器の使用回数、使用時刻および使用位置に基づいて、吸入器が適切に使用されているか否か、吸入器の使用状況に普段と変わった点があるか否かなどを判断し得る、喘息の治療に有用な情報をユーザに提供し得る。
【００２１】
また、本発明の喘息治療支援システムにおいて、
携帯端末装置をさらに備えている喘息治療支援システムであって、
上記送信装置の上記送信手段が、上記携帯端末装置に上記使用回数情報を送信し、
上記携帯端末装置が、上記送信装置からの上記使用回数情報を受信する受信手段と、上記使用回数情報の受信に基づいて、上記吸入器の使用時刻を表す使用時刻情報を生成する使用時刻情報生成手段と、上記使用時刻情報と関連付けられた上記使用回数情報を上記管理サーバに送信する送信手段とを備えており、
上記管理サーバの上記受信手段が、上記送信装置からの上記使用時刻情報と関連付けられた上記使用回数情報を受信し、上記管理サーバの上記記憶手段が、上記使用時刻情報と関連付けられた上記使用回数情報を記憶し、上記管理サーバの上記送信手段が上記使用時刻情報と関連付けられた上記使用回数情報を上記表示装置に送信し、
上記表示装置の上記受信手段が、上記管理サーバからの上記使用時刻情報と関連付けられた上記使用回数情報を受信し、上記表示装置の上記表示手段が、上記使用時刻情報と関連付けられた上記使用回数情報を表示することが好ましい。
【００２２】
上記構成によれば、送信装置は、使用回数情報のみを送信できればよいので、小型化および低消費電力を実現可能である。また、上述のように、喘息の治療に有用な情報をユーザに提供し得る。
【００２３】
また、本発明の喘息治療支援システムにおいて、
携帯端末装置をさらに備えている喘息治療支援システムであって、
上記送信装置の上記送信手段が、上記携帯端末装置に上記使用回数情報を送信し、
上記携帯端末装置が、上記送信装置からの上記使用回数情報を受信する受信手段と、上記使用回数情報の受信に基づいて、上記吸入器の使用位置を表す使用位置情報を取得する使用位置情報取得手段と、上記使用位置情報と関連付けられた上記使用回数情報を上記管理サーバに送信する送信手段とを備えており、
上記管理サーバの上記受信手段が、上記送信装置からの上記使用位置情報と関連付けられた上記使用回数情報を受信し、上記管理サーバの上記記憶手段が、上記使用位置情報と関連付けられた上記使用回数情報を記憶し、上記管理サーバの上記送信手段が上記使用位置情報と関連付けられた上記使用回数情報を上記表示装置に送信し、
上記表示装置の上記受信手段が、上記管理サーバからの上記使用位置情報と関連付けられた上記使用回数情報を受信し、上記表示装置の上記表示手段が、上記使用位置情報と関連付けられた上記使用回数情報を表示することが好ましい。
【００２４】
上記構成によれば、送信装置は、使用回数情報のみを送信できればよいので、小型化および低消費電力を実現可能である。また、上述のように、喘息の治療に有用な情報をユーザに提供し得る。
【００２５】
また、本発明の喘息治療支援システムにおいて、
携帯端末装置をさらに備える喘息治療支援システムであって、
上記送信装置の上記送信手段が、上記携帯端末装置に上記使用回数情報を送信し、
上記携帯端末装置が、上記送信装置からの上記使用回数情報を受信する受信手段と、上記使用回数情報の受信に基づいて、上記吸入器の使用時刻を表す使用時刻情報を生成する使用時刻情報生成手段と、上記使用回数情報の受信に基づいて、上記吸入器の使用位置を表す使用位置情報を取得する使用位置情報取得手段と、上記使用回数情報および上記使用時刻情報と関連付けられた上記使用回数情報を上記管理サーバに送信する送信手段とを備えており、
上記管理サーバの上記受信手段が、上記携帯端末装置からの上記使用回数情報および上記使用時刻情報と関連付けられた上記使用回数情報を受信し、上記管理サーバの上記記憶手段が、上記使用回数情報および上記使用時刻情報と関連付けられた上記使用回数情報を記憶し、上記管理サーバの上記送信手段が上記使用回数情報および上記使用時刻情報と関連付けられた上記使用回数情報を上記情報表示装置に送信し、
上記情報表示装置の上記受信手段が上記使用回数情報および上記使用時刻情報と関連付けられた上記使用回数情報を受信し、上記表示手段が上記使用回数情報および上記使用時刻情報と関連付けられた上記使用回数情報を表示することが好ましい。
【００２６】
上記構成によれば、送信装置は、使用回数情報のみを送信できればよいので、小型化および低消費電力を実現可能である。また、上述のように、喘息の治療に有用な情報をユーザに提供し得る。
【００２７】
また、本発明の喘息治療支援システムにおいて、
上記管理サーバが、上記記憶手段に記憶されている上記使用回数情報および上記使用時刻情報に基づいて、上記吸入器の使用履歴を表す使用履歴情報を生成する使用履歴情報生成手段と、上記使用履歴情報を上記表示装置に送信する使用履歴情報送信手段とをさらに備えており、
上記表示装置が、上記管理サーバからの上記使用履歴情報を受信する使用履歴情報受信手段をさらに備えており、上記表示手段が上記使用履歴情報を表示することが好ましい。
【００２８】
上記構成によれば、使用回数および使用時刻の履歴をユーザに提供することができる。したがって、例えば、吸入器の使用頻度が高い（低い）時間帯および季節などの統計的な情報を上記履歴から把握することができる。よって、喘息の治療にさらに有用な情報をユーザに提供し得る。
【００２９】
また、本発明の喘息治療支援システムにおいて、
上記管理サーバが、上記記憶手段に記憶されている上記使用回数情報および上記使用位置情報に基づいて、上記吸入器の使用履歴を表す使用履歴情報を生成する使用履歴情報生成手段と、上記使用履歴情報を上記表示装置に送信する使用履歴情報送信手段とをさらに備えており、
上記表示装置が、上記管理サーバからの上記使用履歴情報を受信する使用履歴情報受信手段をさらに備えており、上記表示手段が上記使用履歴情報を表示することが好ましい。
【００３０】
上記構成によれば、使用回数および使用位置の履歴をユーザに提供することができる。したがって、例えば、使用頻度の高い位置（場所）などの統計的な情報を上記履歴から把握することができる。よって、喘息の治療にさらに有用な情報をユーザに提供し得る。
【００３１】
また、本発明の喘息治療支援システムにおいて、
上記管理サーバが、上記記憶手段に記憶されている上記使用回数情報、上記使用時刻情報および上記使用位置情報に基づいて、上記吸入器の使用履歴を表す使用履歴情報を生成する使用履歴情報生成手段と、上記使用履歴情報を上記表示装置に送信する使用履歴情報送信手段とをさらに備えており、
上記表示装置が、上記管理サーバからの上記使用履歴情報を受信する使用履歴情報受信手段をさらに備えており、上記表示手段が上記使用履歴情報を表示することが好ましい。
【００３２】
上記構成によれば、使用回数、使用時刻および使用位置の履歴をユーザに提供することができる。したがって、多角的な観点から得られる統計的な情報を上記履歴から把握することができる。よって、喘息の治療にさらに有用な情報をユーザに提供し得る。
【００３３】
また、本発明の喘息治療支援システムにおいて、
上記使用履歴情報が、上記吸入器の使用に関するアドバイス、グラフまたは地図であってもよい。
【発明の効果】
【００３４】
以上のように、本発明の喘息治療支援システムは、吸入器の使用に関する有用な情報を提供することができる。
【図面の簡単な説明】
【００３５】
【図１】本発明の一実施形態に係る喘息治療支援システムの要部構成を示すブロック図である。
【図２】本発明の一実施形態に係る喘息治療支援システムの構成を示す模式図である。
【図３】本発明の一実施形態に係る送信装置の処理の流れを示すフローチャートである。
【図４】本発明の一実施形態に係る管理サーバの処理の流れを示すフローチャートである。
【図５】本発明の一実施形態に係る表示装置の処理の流れを示すフローチャートである。
【図６】本発明の一実施形態に係る管理サーバの図４とは異なる処理の流れを示すフローチャートである。
【図７】本発明の一実施形態に係る表示装置の図５とは異なる処理の流れを示すフローチャートである。
【図８】本発明の他の実施形態に係る喘息治療支援システムの要部構成を示すブロック図である。
【図９】本発明の他の実施形態に係る送信装置の処理の流れを示すフローチャートである。
【図１０】本発明の他の実施形態に係る管理サーバの処理の流れを示すフローチャートである。
【図１１】本発明の他の実施形態に係る表示装置の処理の流れを示すフローチャートである。
【図１２】本発明の他の実施形態に係る喘息治療システムの要部構成を示すブロック図である。
【図１３】本発明の他の実施形態に係る携帯端末装置の処理の流れを示すフローチャートである。
【図１４】本発明の他の実施形態に係る管理サーバの処理の流れを示すフローチャートである。
【図１５】本発明の他の実施形態に係る表示装置の処理の流れを示すフローチャートである。
【図１６】（ａ）は、使用履歴の表示例を示す図であり、（ｂ）は、使用履歴の他の表示例を示す図であり、（ｃ）は、使用履歴の他の表示例を示す図であり、（ｄ）は、使用履歴の他の表示例を示す図である。
【発明を実施するための形態】
【００３６】
〔実施形態１〕
本発明に係る第１の実施形態について、図１〜図７を参照して以下に説明する。
【００３７】
（喘息治療支援システム１）
本実施形態に係る喘息治療支援システム１について、図１を参照して以下に説明する。図１は、一実施形態に係る喘息治療支援システム１の要部構成を示すブロック図である。図１に示すように、喘息治療支援システム１は、送信装置１０１、管理サーバ１０２および表示装置１０３を備えている。３つの装置は、ネットワーク９０を介して接続されている。本実施形態において、エアゾール型（加圧式定量噴霧型）の携帯用吸入器の使用状況を送信、管理および表示に適した喘息治療支援システム１を例にして説明する。
【００３８】
（送信装置１０１）
図１に示すように、送信装置１０１は、押下動作検出部（送信装置の検出手段）１１、通信部（送信手段）１２、制御部１３、押下回数カウント部（使用回数算出手段）１４および記憶部１５を備えている。各部材の詳細については後述する。
【００３９】
（管理サーバ１０２）
図１に示すように、管理サーバ１０２は、コンテンツ生成部２１、通信部（管理サーバの受信手段、送信手段）２２、制御部２３およびデータベース（記憶手段）２５を備えている。本実施形態において、通信部２２は、送信装置１０１からの情報を受信する構成、および表示装置１０３に情報を送信する構成、および表示装置１０３からの指示を受信する構成（送信指示受信手段）を兼ねている。各部材の詳細については後述する。
【００４０】
（表示装置１０３）
図１に示すように、表示装置１０３は、表示部（表示手段）３１、通信部（表示装置の受信手段）３２、制御部３３、入力部３４および記憶部３５を備えている。本実施形態において、管理サーバ１０２からの情報を受信する構成、および管理サーバ１０２に指示を送信する構成を兼ねている。各部材の詳細については後述する。
【００４１】
（喘息治療支援システム１の概要）
本実施形態に係る喘息治療支援システム１の概要について、図２を参照して以下に説明する。図２は、一実施形態に係る喘息治療支援システム１の構成を示す模式図である。図２に示すように、吸入器１１１に取り付けられた送信装置１０１が、ユーザの指１１２による薬剤入りの缶１１１ａの操作を検出する。送信装置１０１は、検出した結果に基づいて吸入器１１１の使用回数情報を算出して、管理サーバ１０２に送信する。管理サーバ１０２は、受信した使用回数情報を記憶し、かつ表示装置１０３に送信する。表示装置１０３は、受信した使用回数情報を表示する。ここで、表示装置１０３は、携帯端末装置１０３ａまたは計算機１０３ｂであり得る。また、上述のように吸入器１１１は、エアゾール型の吸入器１１１である。エアゾール型の吸入器１１１は、ステロイドなどの薬剤入りの缶１１１ａをセットして缶１１１ａの上部が指１１２によって押されることによって、内部の薬剤が霧状に噴射される。よって、送信装置１０１を缶１１１ａの上部に取り付けることによって、ユーザによる吸入器１１１の操作を検出可能である。
【００４２】
これによって、管理サーバ１０２を介して送信された送信装置１０１からの吸入器１１１の使用回数を、送信装置１０１とは異なる表示装置１０３において表示することができる。よって、送信装置１０１から離れた場所にある表示装置１０３において、吸入器１１１の使用回数を表示可能である。つまり、送信装置１０１から離れた場所において吸入器１１１の使用回数を把握できるので、吸入器１１１のユーザ以外にも使用回数の確認が容易である。使用回数の確認が容易であるので、使用回数の確認漏れの頻度を低減し得る。
【００４３】
（使用情報提供処理の詳細）
喘息治療支援システム１における吸入器の使用情報提供処理の詳細について、図３〜図５を参照して以下に説明する。図３は、一実施形態に係る送信装置１０１の処理の流れを示すフローチャートである。図４は、一実施形態に係る管理サーバ１０２の処理の流れを示すフローチャートである。図５は、一実施形態に係る表示装置１０３の処理の流れを示すフローチャートである。
【００４４】
（送信装置１０１の処理の詳細）
図３に示すように、押下動作検出部１１は、ユーザによる吸入器１１１の操作（押下動作）を検出すると（Ｙｅｓ）、吸入器１１１の作動を表す作動情報を生成して当該情報を押下回数カウント部１４に出力する（Ｓ１０１）。押下動作検出部１１は、ユーザによる吸入器１１１の操作が検出されなければ（Ｎｏ）、待機状態を継続する。
【００４５】
押下回数カウント部１４は、作動情報が入力されると、記憶部１５に記憶されている使用回数情報を取得する。押下回数カウント部１４は、記憶部１５から取得した使用回数情報によって表される値（使用回数）に１を加算して、新たな使用回数情報を生成する。押下回数カウント部１４は、新たな使用回数情報を制御部１３に出力する。制御部１３は、新たな使用回数情報が入力されると、送信装置１０１を特定する送信装置識別情報を記憶部１５から取得する（Ｓ１０２）。制御部１３は、新たな使用回数情報および送信装置識別情報を通信部１２に出力する。ここで、送信装置識別情報は、例えば、送信装置１０１を特定するＩＤなどである。
【００４６】
通信部１２は、新たな使用回数情報および送信装置識別情報が入力されると、管理サーバ１０２に使用回数情報および送信装置識別情報を送信する（Ｓ１０３）。また、制御部１３は、新たな使用回数情報を記憶部１５に出力して、記憶部１５に記憶されている使用回数情報に、新たな使用回数情報を上書きする（Ｓ１０４）。
【００４７】
（管理サーバ１０２の処理の詳細）
図４に示すように、制御部２３は、送信時刻設定の有無を判定する（Ｓ１１１）。ここで、データベース２５には表示装置ごとに設定された送信時刻設定情報があらかじめ記録されている。制御部２３は、この送信時刻設定情報に基づいて送信時刻設定の有無を判定する。送信時刻設定情報の詳細については後述する。制御部２３が「無」（Ｎｏ）と判定すると、送信装置１０１からの情報または表示装置１０３からの指示を待つ待機状態になる。制御部２３による判定が「有」（Ｙｅｓ）の場合については後述する。
【００４８】
通信部２２は、情報（または指示）を受信すると（Ｙｅｓ）、当該情報を制御部２３に出力する（Ｓ１１３）。情報が未受信（Ｎｏ）の場合、通信部２２は待機状態を継続する。
【００４９】
制御部２３は、情報が入力されると、その内容を判定する（Ｓ１１４）。制御部２３は、その内容が送信装置１０１からの使用回数情報である（Ｙｅｓ）と判定した場合、使用回数情報とともに送信された送信装置識別情報に基づいて、情報の送信元である送信装置１０１を特定する。そして、制御部２３は、送信装置１０１からの情報を送信すべき表示装置１０３を、データベース２５に記録されている上記送信装置識別情報と関連付けられた表示装置識別情報に基づいて特定する（Ｓ１１５）。制御部２３は、上記使用回数情報を、送信装置識別情報および表示装置識別情報と関連付けてデータベース２５に記録する（Ｓ１１６）。制御部２３がその内容を送信装置１０１からの使用回数情報ではないと判定した場合（Ｎｏ）については後述する。
【００５０】
制御部２３は、表示装置識別情報と関連付けられている自動送信設定の有無を判定する（Ｓ１１７）。制御部２３が「有」と判定した場合（Ｙｅｓ）、上記使用回数情報をコンテンツ生成部２１に出力する。コンテンツ生成部２１は、データベース２５から表示装置１０３に対する送信形式を取得して、上記使用回数情報を含むコンテンツを生成する。コンテンツ生成部２１は、上記使用回数情報を含むコンテンツを通信部２２に出力する。通信部２２は、上記使用回数情報を含むコンテンツを表示装置１０３に送信する（Ｓ１１８）。制御部２３が「無」と判定した場合（Ｎｏ）、管理サーバ１０２の処理が終了する。ここで、上記送信形式は、例えばメールの形式である。よって、この場合、コンテンツ生成部２１は上記使用回数情報を含むメールを生成し、通信部２２は当該メールを表示装置１０３に送信する。
【００５１】
次に、Ｓ１１１において制御部２３による判定が「有」（Ｙｅｓ）の場合、制御部２３は、現在の時刻が設定時刻であるか否かをさらに判定する（Ｓ１１２）。制御部２３が設定時刻である（Ｙｅｓ）と判定した場合、上述のＳ１１５の処理が行われる。表示装置１０３の特定は、上記送信時刻設定情報と関連付けられた表示装置識別情報に基づいて行われる。続いて制御部２３は、当該表示装置識別情報と関連付けられている使用回数情報をデータベース２５から取得する（Ｓ１１６）。Ｓ１１７以降の処理は、上述の通りである。なお、制御部２３が設定時刻ではない（Ｎｏ）と判定した場合、送信装置１０１からの情報または表示装置１０３からの指示を待つ待機状態になる。
【００５２】
次に、Ｓ１１４において制御部２３がその内容を送信装置１０１からの使用回数情報ではない（Ｎｏ）と判定した場合、当該内容は、表示装置１０３からの使用回数情報送信指示を判定される。この場合、制御部２３は、送信元の表示装置１０３に対する表示装置識別情報の入力要求の送信指示を通信部２２に出力する。通信部は、当該送信指示に基づいて、表示装置識別情報の入力要求を表示装置１０３に送信する（Ｓ１１９）。
【００５３】
通信部２２は、表示装置１０３からの表示装置識別情報を受信する（Ｓ１２０）と、この表示装置識別情報を制御部２３に出力する。制御部２３は、この表示装置識別情報と一致する表示装置識別情報がデータベース２５に記録されているか否かを判定する（Ｓ１２１）。制御部２３がデータベース２５に一致する表示装置識別情報が記録されている（Ｙｅｓ）と判定した場合、制御部２３は当該表示装置識別情報に基づいて、送信すべき使用回数情報および表示装置１０３を特定する（Ｓ１２２）。制御部２３は、データベース２５から特定した使用回数情報を取得する（Ｓ１２３）。制御部２３は、取得した使用回数情報をコンテンツ生成部２１に出力する。コンテンツ生成部２１は、データベース２５から表示装置１０３に対する送信形式を取得して、上記使用回数情報を含むコンテンツを生成する。ここで、当該表示形式は、例えばワールドワイドウェブ（ｗｗｗ）から取得して、端末装置によって表示可能な形式である。よって、この場合、コンテンツ生成部２１は、例えばｈｔｍｌ形式にしたがって、上記使用回数情報を含むコンテンツを生成する。また、当該表示形式はメールであり得るので、コンテンツ生成部２１は上記使用回数情報を含むメールを生成してもよい。
【００５４】
Ｓ１２１において制御部２３がデータベース２５に一致する表示装置識別情報が記録されていない（Ｎｏ）と判定した場合、制御部２３はエラー情報の送信指示を通信部２２に出力する。通信部２２は、出力された指示に基づいて、表示装置１０３にエラー情報を送信する。これによって、管理サーバ１０２は処理を終了する。ここで、エラー情報は、例えば、管理サーバ１０２に送信された表示装置識別情報が誤りであり、表示装置１０３からの指示が完了されずに中断されることを表す情報である。
【００５５】
（表示装置１０３の処理の詳細）
図５に示すように、通信部３２が情報を受信するか、または入力部３４に指示が入力される（Ｙｅｓ）と、情報または指示が制御部３３に出力される（Ｓ１３１）。制御部３３は出力された情報または指示の内容を判定する（Ｓ１３２）。制御部３３は、その内容が使用回数情報である（Ｙｅｓ）と判定した場合、表示部３１に使用回数情報を出力する。表示部３１は出力された使用回数情報を表示する（Ｓ１３３）。これによって、表示装置１０３の処理が終了する。なお、通信部３２が情報を未受信であるか、または入力部３４に指示が入力されていない（Ｎｏ）場合、表示装置１０３は待機状態を継続する。
【００５６】
次にＳ１３２において制御部３３が情報または指示の内容を使用回数情報ではない（Ｎｏ）と判定した場合、制御部３３は、その内容が入力部３４への使用回数情報の送信指示であるか否かを判定する（Ｓ１３４）。制御部３３がその内容が入力部３４への使用回数情報の送信指示である（Ｙｅｓ）と判定した場合、制御部３３は、管理サーバ１０２への使用回数情報送信指示を通信部３２に出力する。通信部３２は、使用回数情報送信指示を管理サーバ１０２送信する（Ｓ１３５）。Ｓ１３４において制御部３３がＮｏと判定した場合については後述する。
【００５７】
通信部３２が管理サーバ１０２から情報を受信すると、その情報を制御部３３に出力する。制御部３３は、情報の内容が表示装置識別情報の入力要求であるか否かを判定する（Ｓ１３６）。制御部３３は、その内容が表示装置識別情報の入力要求である（Ｙｅｓ）と判定した場合、表示装置識別情報の入力要求を表示部３１に出力する。表示部３１は、表示装置識別情報の入力要求を表示する（Ｓ１３７）。入力部３４に表示装置識別情報が入力される（Ｙｅｓ）と、入力部３４は表示装置識別情報を制御部３３に出力する（Ｓ１３８）。制御部３３は表示装置識別情報の管理サーバ１０２への送信を通信部３２に指示する。通信部３２は表示装置識別情報を管理サーバ１０２に送信する（Ｓ１３９）。Ｓ１３８において入力部３４に対して表示装置識別情報が未入力であれば（Ｎｏ）、表示装置１０３は入力待ちの状態を継続する。
【００５８】
通信部３２が管理サーバ１０２から情報を受信すると、その情報を制御部３３に出力する。制御部３３は、情報の内容が使用回数情報であるか否かを判定する（Ｓ１４０）。制御部３３が情報の内容を使用回数情報である（Ｙｅｓ）と判定した場合、上述のようにＳ１３３において使用回数情報が表示部３１によって表示される。制御部３３が情報の内容をエラー情報である（Ｎｏ）と判定した場合、制御部３３はエラー情報を表示部３１に出力する。表示部３１は制御部３３からの出力に基づいてエラー情報を表示する（Ｓ１４１）。
【００５９】
次にＳ１３４において制御部３３が情報の内容が使用情報の送信指示ではない（Ｎｏ）と判定した場合、上述のＳ１３６において制御部３３が情報のさらなる判定を行う。Ｓ１３６において制御部３３が情報の内容を表示装置識別情報の入力要求ではない（Ｎｏ）と判定した場合、制御部３３は表示部３１にエラー情報の表示を指示する。上述のように表示部３１は制御部３３の指示に基づいてエラー情報を表示する。
【００６０】
（本実施形態の作用・効果）
以上のように、吸入器１１１に取り付けられた送信装置１０１が、ユーザの指１１２による薬剤収納部１１１ａの操作を検出する。送信装置１０１は、検出した結果に基づいて吸入器１１１の使用回数情報を算出して、管理サーバ１０２に送信する。管理サーバ１０２は、受信した使用回数情報を記憶し、かつ表示装置１０３に送信する。表示装置１０３は、受信した使用回数情報を表示する。ここで、表示装置１０３は、携帯端末装置１０３ａまたは計算機１０３ｂであり得る。
【００６１】
これによって、管理サーバ１０２を介して送信された送信装置１０１からの吸入器１１１の使用回数を、送信装置１０１とは異なる表示装置１０３において表示することができる。よって、送信装置１０１から離れた場所にある表示装置１０３において、吸入器１１１の使用回数を表示可能である。つまり、送信装置１０１から離れた場所において吸入器１１１の使用回数を把握できるので、吸入器１１１のユーザ以外にも使用回数の確認が容易である。使用回数の確認が容易であるので、使用回数の確認漏れの頻度を低減し得る。
【００６２】
（喘息治療支援システム１における他の処理）
喘息治療支援システム１における他の処理の詳細について、図６および図７を参照して以下に説明する。図６は、一実施形態に係る管理サーバ１０２の送信設定処理の流れを示すフローチャートである。図７は、一実施形態に係る表示装置１０３の送信設定処理の流れを示すフローチャートである。
【００６３】
（管理サーバ１０２における送信設定処理の詳細）
図６に示すように、通信部２２は、表示装置１０３からの自動送信設定指示を受信する（Ｙｅｓ）と、自動送信設定指示を制御部２３に出力する（Ｓ１５１）。表示装置１０３からの自動送信設定指示を未受信（Ｎｏ）の場合、管理サーバ１０２は待機状態を継続する。制御部２３は、自動送信設定指示を受けると、表示装置１０３に対する表示装置識別情報の入力要求の送信を通信部２２に指示する。通信部２２は、当該指示にしたがって、表示装置１０３に表示装置識別情報の入力要求を送信する（Ｓ１５２）。
【００６４】
通信部２２は、表示装置１０３からの表示装置識別情報を受信する（Ｓ１５３）と、表示装置識別情報を制御部２３に出力する。制御部２３は、受信した表示装置識別情報がデータベース２５に記憶されているか否かを判定する（Ｓ１５４）。受信した表示装置識別情報がデータベース２５に記憶されている（Ｙｅｓ）場合、制御部２３は、自動送信設定情報の要求の送信を通信部２２に指示する。通信部２２は、自動送信設定情報の要求を表示装置１０３に送信する（Ｓ１５５）。ここで、自動送信設定情報は、例えば、管理サーバ１０２による使用回数情報の受信時に使用回数情報を表示装置１０３に自動送信するか否か、ある時刻になるとデータベース２５に記録されている使用回数情報を表示装置１０３に自動送信するか否か、自動送信時の送信先、またはこれらの組み合わせを設定する情報である。
【００６５】
通信部２２は、表示装置１０３からの自動送信設定情報を受信する（Ｓ１５６）と、自動送信設定情報を制御部２３に出力する。制御部２３は、表示装置識別情報と関連付けて自動送信設定情報をデータベース２５に記録するか、または上書きする（Ｓ１５７）。
【００６６】
ここで、受信した表示装置識別情報がデータベース２５に記憶されていない（Ｎｏ）場合、制御部２３は、エラー情報の送信を通信部２２に指示する。通信部２２は、表示装置１０３にエラー情報を送信する（Ｓ１５８）。
【００６７】
（表示装置１０３における送信設定処理の詳細）
図７に示すように、入力部３４は、ユーザから自動送信設定指示の入力を受ける（Ｙｅｓ）と、制御部３３に自動送信設定指示を出力する（Ｓ１６１）。制御部３３は、管理サーバ１０２に対する自動送信設定指示の送信を通信部３２に指示する。通信部３２は、自動送信設定指示を管理サーバ１０２に送信する（Ｓ１６２）。Ｓ１６１において、ユーザから自動送信設定指示の入力を受けていない（Ｎｏ）場合、表示装置１０３は待機状態を継続する。
【００６８】
通信部３２は、表示装置識別情報の入力要求を管理サーバ１０２から受信する（Ｓ１６３）と、表示装置識別情報の入力要求を制御部３３に出力する。制御部３３は、表示部３１に表示装置識別情報の入力要求の表示を指示する。表示部３１は、表示装置識別情報の入力要求を表示する（Ｓ１６４）。
【００６９】
入力部３４は、ユーザから表示装置識別情報の入力を受ける（Ｙｅｓ）と、制御部３３に表示装置識別情報を出力する（Ｓ１６５）。制御部３３は、表示装置識別情報の出力を受けると、管理サーバ１０２に対する表示装置識別情報の送信を通信部３２に指示する。通信部３２は、管理サーバ１０２に表示装置識別情報を送信する（Ｓ１６６）。Ｓ１６５において、ユーザから表示装置識別情報の入力を受けていない（Ｎｏ）場合、表示装置１０３は待機状態を継続する。
【００７０】
通信部３２は、自動送信設定情報の要求を受信する（Ｙｅｓ）と、制御部３３に自動送信設定情報の要求を出力する（Ｓ１６７）。制御部３３は、自動送信設定情報の要求の出力を受けると、表示部３１に自動送信設定情報の要求を送る。表示部３１は、自動送信設定情報の要求を表示する（Ｓ１６８）。
【００７１】
入力部３４は、ユーザから自動送信設定情報の入力を受ける（Ｙｅｓ）と、制御部３３に自動送信設定情報を出力する（Ｓ１６９）。制御部３３は、自動送信設定情報の出力を受けると、管理サーバ１０２に対する自動送信設定情報の送信を通信部３２に指示する。通信部３２は、管理サーバ１０２に自動送信設定情報を送信する（Ｓ１７０）。Ｓ１６９において、ユーザから表示装置識別情報の入力を受けていない（Ｎｏ）場合、表示装置１０３は待機状態を継続する。
【００７２】
なお、Ｓ１６７において、通信部３２がエラー情報を受信した（Ｎｏ）場合、制御部３３にエラー情報が出力される。制御部３３は、表示部３１にエラー情報を出力してその表示を表示部３１に指示する。表示部３１はエラー情報を表示して（Ｓ１７１）、表示装置１０３は処理を終了する。
【００７３】
以上のような設定を行うことによって、本発明に係る喘息治療支援システム１は、ユーザが所望する種々のタイミングにおいて、吸入器の使用回数情報を介してユーザに提供可能である。
【００７４】
（送信装置１０１から管理サーバ１０２への送信処理）
上述のように、送信装置１０１と管理サーバ１０２とは、ネットワーク９０を介して接続されている。例えば、送信装置１０１から管理サーバ１０２に使用回数情報を送信する場合、送信装置１０１は、無線通信を介してその付近にある基地局などに使用回数情報を送信する。そして、使用回数情報を受信した基地局から管理サーバ１０２に有線通信を介して送信される。このようにして、送信装置１０１は、離れた場所にある管理サーバ１０２に対して使用回数情報を送信可能に構成されている。
【００７５】
なお、送信装置１０１から管理サーバ１０２に使用回数情報を送信する場合、送信装置１０１の送信位置などが原因して、適切に送信完了できないことがあり得る。このような場合、送信装置１０１は、適切に送信が完了するまで、管理サーバ１０２に使用回数情報を再送信する。再送信の回数が所定の回数（例えば、１０回など）に達したとき、所定の時間（例えば、５、１０分間など）をおいて送信装置１０１は、管理サーバ１０２に対する使用回数情報の再送信を再開する。
【００７６】
（ユーザによる吸入器の操作の検出）
本実施形態において、送信装置１０１は、上述のようにユーザによるエアゾール型の吸入器１１１の操作（押下動作）を検出している。ここで、送信装置１０１における押下動作検出部１１を、吸入器のユーザによる他の動作を検出可能な従来公知の構成に変更するよって、エアゾール型以外の吸入器に対して本発明の喘息治療支援システム１を適用可能である。
【００７７】
エアゾール型以外の吸入器としては、例えばドライパウダー型の吸入器が挙げられる。ドライパウダー型の吸入器は、粉末状の薬剤を吸入器のユーザの吸気によって能動的に吸入する吸入器である。一般的なドライパウダー型の吸入器は、薬剤が納められたパッケージを開封する（蓋を取り外すか、または蓋に孔を開ける）ことによって、吸入可能になる。そこで、例えば、吸入器のユーザによる吸入器内のパッケージを開封する動作を検出することによって、送信装置１０１は使用回数情報を算出可能である。
【００７８】
〔実施形態２〕
本発明に係る第２の実施形態について、図８〜図１３を参照して以下に説明する。
【００７９】
（喘息治療支援システム１’）
本実施形態に係る喘息治療支援システム１’について、図８を参照して以下に説明する。図８は、一実施形態に係る喘息治療支援システム１’の要部構成を示すブロック図である。図８に示すように、喘息治療支援システム１’は、送信装置１０１’、管理サーバ１０２、表示装置１０３および位置情報通知装置１０４を備えている。４つの装置は、通信ネットワーク９０を介して接続されている。本実施形態に係る喘息治療支援システム１’は、送信装置１０１’および位置情報通知装置１０４を備えている点について、第１の実施形態と異なっている。このため、管理サーバ１０２および表示装置１０３の構成については省略する。
【００８０】
（送信装置１０１’）
図８に示すように、送信装置１０１’は、上述の送信装置１０１の構成に加えて、使用時刻情報生成部（送信装置の使用時刻情報生成手段）１６および使用位置情報取得部（送信装置の使用位置情報取得手段）１７をさらに備えている。使用時刻情報生成部１６および使用位置情報取得部１７における処理の詳細については後述する。
【００８１】
（使用情報提供処理の詳細）
使用情報提供処理の詳細について図９〜図１１を参照して以下に説明する。図９は、本実施形態に係る送信装置の処理の流れを示すフローチャートである。図１０は、本実施形態に係る管理サーバの処理の流れを示すフローチャートである。図１１は、本実施形態に係る表示装置の処理の流れを示すフローチャートである。
【００８２】
図９に示されている処理のうち、Ｓ２０１およびＳ２０４は、図３のＳ１０１およびＳ１０４と同じ処理である。また、図１０に示されている処理のうち、Ｓ２１１〜Ｓ２１５、Ｓ２１７、Ｓ２１９〜Ｓ２２１およびＳ２２４は、図４のＳ１１１〜Ｓ１１５、Ｓ１１７、Ｓ１１９〜Ｓ１２１およびＳ１２４と同じ処理である。また、図１１に示されている処理のうち、Ｓ２３１〜Ｓ２３２およびＳ２３４〜２４１は、図５のＳ１３１〜１３２およびＳ１３４〜１４１と同じ処理である。よって、ここでは、Ｓ２０２〜２０３、Ｓ２１６、Ｓ２１８、Ｓ２２２〜Ｓ２２３およびＳ２３３についてのみ処理の詳細を説明する。
【００８３】
（送信装置１０１’の処理の詳細）
図９に示すように、Ｓ２０１の処理に基づいて、吸入器１１１の作動を表す作動情報を生成して当該情報を押下回数カウント部１４、使用時刻情報生成部１６および使用位置情報取得部１７に出力する。
【００８４】
作動情報の出力に基づいて、押下回数カウント部１４は、上述のように使用回数情報を算出し、使用時刻情報生成部１６は、現在の時刻を吸入器１１１の使用時刻情報として生成し、使用位置情報取得部１７は、位置情報通知装置１０４から現在地を表す使用位置情報を吸入器１１１の使用位置として取得する（Ｓ２０２）。そして、押下回数カウント部１４は使用回数情報を制御部１３に出力し、使用時刻情報生成部１６は使用時刻情報を制御部１３に出力し、使用位置情報取得部１７は使用位置情報を制御部１３に出力する。
【００８５】
ここで、使用時刻情報生成部１６は、例えば、継続的に時刻を計っており、作動情報の出力時の時刻を特定することによって、使用時刻情報を生成する。また例えば、使用時刻情報生成部１６は、作動情報の出力に基づいて、通信部１２を介して外部から時刻情報を取得することによって、使用時刻情報を生成する。また、使用位置情報取得部１７は、作動情報の出力に基づいて、通信部１２を介して位置情報通知装置１０４から使用位置情報を取得する。位置情報通知装置１０４は、例えば、全地球測位システム（ＧＰＳ：ｇｌｏｂａｌ  ｐｏｓｉｔｉｏｎｉｎｇ  ｓｙｓｔｅｍ）を構成する衛星、または基地局などである。よって、使用位置情報取得部１７は、位置情報通知装置１０４が衛星である場合、衛星からの信号に基づいて使用位置情報を生成し、位置情報通知装置１０４が基地局である場合、基地局から取得した位置情報を直接利用する。
【００８６】
制御部１３は、出力された使用回数情報を、使用時刻情報および使用位置情報と関連付けて、通信部１２に出力する。この出力に基づいて、通信部１２は、使用時刻情報および使用位置情報と関連付けられた使用回数情報を、管理サーバ１０２に送信する（Ｓ２０３）。そして、Ｓ２０４を経て送信装置１０１は処理を終了する。
【００８７】
（管理サーバ１０２の処理の詳細）
図１０に示すように、Ｓ２１１〜Ｓ２１５の処理に基づいて、制御部２３は、使用時刻情報および使用位置情報と関連付けられた使用回数情報をデータベース２５に記録する。Ｓ２１７を経て制御部２３は、使用時刻情報および使用位置情報と関連付けられた使用回数情報を通信部２２に出力する。この出力に基づいて、通信部２２は、使用時刻情報および使用位置情報と関連付けられた使用回数情報を表示装置１０３に送信する（Ｓ２１８）。
【００８８】
また、Ｓ２１４から分岐する処理として、Ｓ２１１〜Ｓ２１４およびＳ２１９〜Ｓ２２１の処理に基づいて、制御部２３は、使用時刻情報および使用位置情報と関連付けられた使用回数情報、ならびに送信先の表示装置１０３を特定する（Ｓ２２２）。そして、制御部２３は、使用時刻情報および使用位置情報と関連付けられた使用回数情報をデータベース２５から取得して、通信部２２に出力する。通信部２２は、Ｓ２１８の処理を実行する。
【００８９】
（表示装置１０３の処理の詳細）
図１１に示すように、表示部３１は、Ｓ２３１〜Ｓ２３２の処理に基づいて、使用時刻情報および使用位置情報と関連付けられた使用回数情報を表示する。
【００９０】
また、Ｓ２３２から分岐する処理として、Ｓ２３１〜Ｓ２３２およびＳ２３９の処理に基づいて、通信部３２は、使用時刻情報および使用位置情報と関連付けられた使用回数情報を受信する（Ｓ２４０）。通信部３２は、使用時刻情報および使用位置情報と関連付けられた使用回数情報を制御部３３に出力する。制御部３３は、表示部３１に使用時刻情報および使用位置情報と関連付けられた使用回数情報を出力して、これらの表示を指示する。この指示に基づいてＳ２３３の処理が実行されて、表示装置１０３は処理を終了する。
【００９１】
（本実施形態の作用・効果）
以上のように、本実施形態に係る喘息治療支援システム１’は、吸入器１１１の使用回数情報に、使用時刻情報および使用位置情報を付加してユーザに提供する。これによって、使用回数だけでは判断できない、喘息の治療に有用な種々の情報をユーザに提供可能である。例えば、ユーザは、治療計画に沿った適切な時刻に吸入器１１１が使用されたか否かを判断できる。また例えば、ユーザは、吸入器１１１の使用時刻が普段と異なっているか否かを判断できる。また例えば、ユーザは、吸入器が使用された位置（場所）が、普段と異なっていないかを判断できる。
【００９２】
（送信装置１０１’の他の構成）
本実施形態において、送信装置１０１’は、使用時刻情報生成部１６および使用位置情報取得部１７を備えている。しかし、送信装置１０１’は、使用時刻情報生成部１６または使用位置情報取得部１７のいずれか一方を備えている構成であり得る。いずれの場合であっても、吸入器１１１の使用回数のみをユーザに提供する場合と比べて、喘息の治療に有用な情報をユーザに提供することができる。
【００９３】
（使用時刻情報および使用位置情報の取得の変形例）
送信装置１０１’によって使用時刻情報および使用位置情報を取得する構成は、本発明に係る喘息治療支援システムの一構成例に過ぎない。送信装置１０１’を用いることなく、使用時刻情報および使用位置情報をさらに提供する喘息治療支援システム１’’について、図１２を参照して説明する。図１２は、本実施形態に係る変形例の喘息治療支援システム１’’の要部構成を示すブロック図である。
【００９４】
図１２に示すように、変形例の喘息治療支援システム１’’は、送信装置１０１、携帯端末装置１０５、管理サーバ１０２、表示装置１０３および位置情報通知装置１０４を備えている。送信装置１０１および携帯端末装置１０５は、無線通信ネットワーク９１によって接続されている。また、携帯端末装置１０５、管理サーバ１０２、表示装置１０３および位置情報通知装置１０４は、ネットワーク９０によって接続されている。喘息治療支援システム１’’は、送信装置１０１が携帯端末装置１０５を介して管理サーバ１０２に接続されている点について、第１の実施形態と異なっている。このため、送信装置１０１、管理サーバ１０２および表示装置１０３の構成については省略する。
【００９５】
（携帯端末装置１０５）
図１２に示すように、携帯端末装置１０５は、使用時刻情報生成部（携帯端末装置の使用時刻情報生成手段）５１、通信部５２、制御部５３、使用位置情報取得部（携帯端末装置の使用位置情報取得手段）５４、記憶部５５および表示部５６を備えている。携帯端末装置１０５は、例えば、吸入器１１１のユーザが携行する携帯電話機などである。各部材の処理の詳細については後述する。
【００９６】
（使用情報提供処理の変形例の詳細）
使用情報提供処理の変形例の詳細について図１３を参照して以下に説明する。図１３は、携帯端末装置１０５の処理の流れを示すフローチャートである。
【００９７】
（送信装置１０１の処理の詳細）
図１２に示すように、本実施形態の送信装置１０１は、無線通信ネットワーク９１を介して携帯端末装置１０５に接続されている。したがって、図３のＳ１０３において通信部１２が使用回数情報および送信装置識別情報を、管理サーバ１０２ではなく携帯端末装置１０５に送信する点についてのみ、第１の実施形態と異なる。よって他の処理の詳細は省略する。
【００９８】
（携帯端末装置１０５の処理の詳細）
図１３に示すように、通信部５２は、送信装置１０１から使用回数情報および送信装置識別情報を受信する（Ｙｅｓ）と、制御部５３に使用回数情報および送信装置識別情報を出力する（Ｓ３０１）。送信装置１０１から使用回数情報および送信装置識別情報を受信していない（Ｎｏ）場合、携帯端末装置１０５は待機状態を継続する。
【００９９】
制御部５３は、通信部５２の出力に基づいて、使用時刻情報生成部５１に使用時刻情報の生成を指示し、かつ使用位置情報取得部５４に使用位置情報の取得を指示する。これらの指示に基づいて、使用時刻情報生成部５１は使用時刻情報を生成し、かつ使用位置情報取得部５４は位置情報通知装置１０４から使用位置情報を取得する（Ｓ２０２）。使用時刻情報の生成および使用位置情報の取得の詳細は、図９のＳ２０２における処理と同様である。
【０１００】
使用時刻情報生成部５１および使用位置情報取得部５４は、それぞれが生成または取得した使用時刻情報および使用位置情報を制御部５３に出力する。この出力に基づいて、制御部５３は、使用回数情報に使用時刻情報および使用位置情報を関連付ける。そして、制御部５３は、使用時刻情報および使用位置情報と関連付けられた使用回数情報、および送信装置識別情報を通信部５２に出力する。この出力に基づいて、通信部５２は、使用時刻情報および使用位置情報と関連付けられた使用回数情報、および送信装置識別情報を管理サーバ１０２に送信する（Ｓ３０３）。ここで、通信部５２は、例えば、使用時刻情報および使用位置情報と関連付けられた使用回数情報、および送信装置識別情報を、これらの情報を含むメールとして管理サーバ１０２に送信する。
【０１０１】
（管理サーバ１０２の処理の詳細）
図１２に示されるように、本実施形態の管理サーバ１０２は、ネットワーク９０を介して携帯端末装置１０５に接続されている。したがって、図１０のＳ２１４において通信部２２が、使用時刻情報および使用位置情報と関連付けられた使用回数情報、および送信装置識別情報を、送信装置１０１’ではなく携帯端末装置１０５から受信する点についてのみ、喘息治療支援システム１’と異なる。よって他の処理の詳細は省略する。
【０１０２】
（変形例の作用・効果）
以上のように、変形例の喘息治療支援システム１’’は、吸入器１１１の使用時刻情報および使用位置情報を、送信装置１０１とは別の携帯端末装置１０５によって生成・取得する。このため、送信装置１０１は、使用回数情報のみを算出すればよいので、装置の小型化および省電力化を実現できる。
【０１０３】
（携帯端末装置１０５の他の構成）
上述のように、携帯端末装置１０５は、記憶部５５および表示部５６を備えている。よって、使用時刻情報および使用位置情報と関連付けられた使用回数情報を記憶部５５に記憶して、表示部５６によって表示することができる。つまり、吸入器１１１のユーザおよび表示装置１０３のユーザの両方によって、使用時刻情報および使用位置情報と関連付けられた使用回数情報を確認することができる。このため、（使用時刻情報および使用位置情報と関連付けられた）使用回数情報の確認漏れをより一層、防止することができる。
【０１０４】
（提供する情報の応用例）
上述のような使用時刻情報および使用位置情報と関連付けられた使用回数情報の提供は、喘息治療支援システム１’’による使用情報提供処理の一例に過ぎない。例えば、管理サーバ１０２において、管理サーバ１０２のデータベース２５に記憶された使用時刻情報および使用位置情報と関連付けられた使用回数情報に基づいて、コンテンツ生成部（使用履歴情報生成部）２１が吸入器１１１の使用履歴情報を生成して、ユーザに提供してもよい。このような場合の管理サーバ１０２および表示装置１０３の処理の詳細について、図１４〜図１６を参照して以下に説明する。
【０１０５】
図１４は、応用例に係る管理サーバの処理の流れを示すフローチャートである。図１５は、応用例に係る表示装置の処理の流れを示すフローチャートである。図１６の（ａ）は、使用履歴の表示例を示す図であり、（ｂ）は、使用履歴の他の表示例を示す図であり、（ｃ）は、使用履歴の他の表示例を示す図であり、（ｄ）は、使用履歴の他の表示例を示す図である。
【０１０６】
図１４における処理のうち、Ｓ４０１〜Ｓ４０６、Ｓ４０８、Ｓ４０９〜Ｓ４１４およびＳ４１６は、図１０のＳ２１１〜Ｓ２１６、Ｓ２１７およびＳ２１９〜Ｓ２２４と同じ処理である。図１５における処理のうち、Ｓ４２１〜Ｓ４２２、Ｓ４２４〜Ｓ４２９およびＳ４３１は、図１１のＳ２３１〜Ｓ２３２、Ｓ２３４〜Ｓ２３９およびＳ２４１と同じ処理である。よって、以下において、Ｓ４０５〜Ｓ４０７、Ｓ４１５、Ｓ４２３およびＳ４３０の詳細についてのみ説明する。
【０１０７】
（管理サーバ１０２の処理の詳細）
図１４に示すように、Ｓ４０１〜Ｓ４０６の処理に基づいて、制御部２３は、使用回数情報、使用時刻情報および使用位置情報をコンテンツ生成部２１に出力する。この出力に基づいて、コンテンツ生成部２１は、使用回数情報、使用時刻情報および使用位置情報に基づいて、吸入器１１１の使用履歴情報を生成する（Ｓ４０７）。ここで、当該使用履歴情報は、例えば、過去の使用回数情報、使用時刻情報および使用位置情報から作成された図、表またはグラフのデータを添付したメールなどである。Ｓ４０８を経てコンテンツ生成部２１は、通信部２２に使用履歴情報を出力する。この出力に基づいて、通信部２２は、表示装置１０３に使用履歴情報を送信する。
【０１０８】
また、Ｓ４０４から分岐する処理として、Ｓ４０１〜４０４およびＳ４１０〜４１４の処理に基づいて、制御部２３は、使用回数情報、使用時刻情報および使用位置情報をコンテンツ生成部２１に出力する。この出力に基づいて、コンテンツ生成部２１は、使用回数情報、使用時刻情報および使用位置情報に基づいて、吸入器１１１の使用履歴情報を生成する（Ｓ４１５）。ここで、当該使用履歴情報は、例えば、過去の使用回数情報、使用時刻情報および使用位置情報から作成された図、表またはグラフのデータを添付したメールなどである。また、当該使用履歴情報は、例えば、過去の使用回数情報、使用時刻情報および使用位置情報から作成された図、表またはグラフをウェブページ上において表示可能なデータである。Ｓ４１５の後、Ｓ４０９において上記使用履歴情報が、通信部２２によって表示装置１０３に送信される。
【０１０９】
（表示装置１０３の処理の詳細）
図１５に示すように、Ｓ４２１〜Ｓ４２２の処理に基づいて、表示部３１は、使用履歴情報を表示する（Ｓ４２３）。
【０１１０】
このとき、表示部３１は、例えば、図１６（ａ）に示すように、吸入器１１１の使用回数、使用時刻および使用位置の情報をまとめて表示する。また、表示部３１は、例えば、図６（ｂ）および（ｃ）に示すように、使用回数と使用時刻（使用時期）とを組み合わせたグラフを表示する。また、表示部３１は、例えば、図６（ｄ）に示すように、使用回数と使用位置（使用場所）とを組み合わせた図を表示する。ここで、使用履歴情報は、例えば、メールなどに添付されたデータを含んでいる。
【０１１１】
また、Ｓ４２２から分岐する処理として、Ｓ４２１〜Ｓ４２２およびＳ４２４〜Ｓ４２９の処理に基づいて、通信部３２は、使用履歴情報を受信する（Ｓ４３０）と、制御部３３に使用履歴情報を出力する。この出力に基づいて、制御部３３は表示部３１に使用履歴情報を出力する。Ｓ４２３において表示部３１は図１６（ａ）〜（ｄ）に示すような表示を行う。ここで、使用履歴情報は、例えば、ウェブページ上において表示可能なデータであり、表示部３１はウェブページとして図１６（ａ）〜（ｄ）のような表示を行う。
【０１１２】
（変形例の作用・効果）
以上のように、喘息治療支援システム１’’は、使用回数情報、使用時刻情報および使用位置情報に基づいた吸入器１１１の使用履歴情報をユーザに提供することができる。よって、ユーザは、吸入器１１１の使用状況を過去に遡って統計的に把握することができる。つまり、ユーザは、吸入器１１１の使用が適切か否かを容易に判断できる。
【０１１３】
（使用履歴情報の生成の変形例）
ここでは、管理サーバ１０２におけるコンテンツ生成部２１は、使用回数情報、使用時刻情報および使用位置情報に基づいて、使用履歴情報を生成する例を説明した。しかし、コンテンツ生成部２１は、使用回数情報と使用時刻情報との組み合わせ、または使用位置情報との組み合わせに基づいて、使用履歴情報を生成してもよい。つまり、コンテンツ生成部２１は、表示装置１０３の表示部３１において図１６（ｂ）〜（ｄ）のいずれかのように表示される使用履歴情報のみを生成してもよい。
【０１１４】
また、コンテンツ生成部２１において生成される使用履歴情報の種類は、表示装置１０３のユーザによってあらかじめ設定されていても、管理サーバ１０２が適宜選択してもよい。生成される使用履歴情報の種類を設定する処理は、図６および図７を参照して説明した、送信設定処理と同様の流れによって実行され得る。
【０１１５】
（その他の構成）
なお、本発明は以下の構成によっても実現できる。
【０１１６】
（第１の構成）
吸入器に取り付けるための取り付け機構を備え、
吸入器の使用回数をカウントする押下回数カウント部、
該押下回数を含む吸入器使用状況を通信により送信する無線通信部
を備えた吸入器使用状況通知装置と、
該通知装置から通知された吸入器使用状況を記憶するデータベース、
該情報をメール乃至はｗｗｗページにより提供する情報提供部
を備えた管理サーバと
から構成される喘息治療支援システム。
【０１１７】
（第２の構成）
吸入器使用状況通知装置内に、
使用時刻を計測する計時部、
使用位置情報を計測する使用位置計測部を備え、
吸入器使用状況通知装置から使用回数、使用時刻、使用位置情報を管理サーバへと通知する事を特徴とする第１の構成に係る喘息治療支援システム。
【０１１８】
（第３の構成）
使用時刻を計測する計時部、
使用位置情報を計測する使用位置計測部を備えた携帯端末であって、
吸入器使用状況通知装置から吸入器の使用回数を受信し、
使用時刻、使用位置情報を付加して管理サーバへと通知する機能を備えた携帯端末を用いる事を特徴とする第１の構成に係る喘息治療支援システム。
【０１１９】
（第４の構成）
管理サーバにおいて吸入器の使用回数、使用時刻、使用位置情報を管理し、
該情報の履歴からアドバイス乃至はグラフ乃至は地図情報を作成して提供する事を特徴とする第１〜第３の構成に係る喘息治療支援システム。
【０１２０】
（プログラムおよび記録媒体）
送信装置１０１、管理サーバ１０２および表示装置１０３に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１２１】
すなわち、送信装置１０１、管理サーバ１０２および表示装置１０３は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および上記プログラムおよび各種データを格納するメモリ等の記憶装置（記録媒体）を備えている。この構成により、本発明の目的は、所定の記録媒体によっても、達成できる。
【０１２２】
この記録媒体は、上述した機能を実現するソフトウェアである送信装置１０１、管理サーバ１０２および表示装置１０３のプログラムのプログラムコード（実行形式プログラム、中間コードプログラム、ソースプログラム）をコンピュータで読み取り可能に記録していればよい。送信装置１０１、管理サーバ１０２および表示装置１０３に、この記録媒体を供給する。これにより、コンピュータとしての送信装置１０１、管理サーバ１０２および表示装置１０３（またはＣＰＵやＭＰＵ）が、供給された記録媒体に記録されているプログラムコードを読み出し、実行すればよい。
【０１２３】
プログラムコードを送信装置１０１、管理サーバ１０２および表示装置１０３に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１２４】
また、送信装置１０１、管理サーバ１０２および表示装置１０３を通信ネットワークと接続可能に構成しても、本発明の目的を達成できる。この場合、上記のプログラムコードを、通信ネットワークを介して送信装置１０１、管理サーバ１０２および表示装置１０３に供給する。この通信ネットワークは送信装置１０１、管理サーバ１０２および表示装置１０３にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１２５】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【産業上の利用可能性】
【０１２６】
本発明は、喘息治療用の吸入器の使用状況をユーザに提供するシステムとして有用である。
【符号の説明】
【０１２７】
１        喘息治療支援システム
１’      喘息治療支援システム
１’’    喘息治療支援システム
１１      押下動作検出部（検出手段）
１２      通信部（送信装置の送信手段）
１３      制御部
１４      押下回数カウント部（使用回数算出手段）
１５      記憶部
１６      使用時刻情報生成部（送信装置の使用時刻情報生成手段）
１７      使用位置情報取得部（送信装置の使用位置情報取得手段）
２１      コンテンツ生成部（使用履歴情報生成手段）
２２      通信部（管理サーバの送信手段、受信手段）
２３      制御部
２５      データベース（記憶手段）
３１      表示部（表示装置の表示手段）
３２      通信部（表示装置の送信手段、受信手段）
３３      制御部
３４      入力部
３５      記憶部
５１      使用時刻情報生成部（携帯端末装置の使用時刻情報生成手段）
５２      通信部
５３      制御部
５４      使用位置情報取得部（携帯端末装置の使用位置情報生成手段）
５５      記憶部
５６      表示部
９０      ネットワーク
９１      無線通信ネットワーク
１０１    送信装置
１０１’  送信装置
１０２    管理サーバ
１０３    表示装置
１０３ａ  携帯端末装置
１０３ｂ  計算機
１０４    位置情報通知装置
１０５    携帯端末装置
１１１    吸入器
１１１ａ  缶
１１２    指
【図１】
0005534778.tif 000002
【図２】
0005534778.tif 000003
【図３】
0005534778.tif 000004
【図４】
0005534778.tif 000005
【図５】
0005534778.tif 000006
【図６】
0005534778.tif 000007
【図７】
0005534778.tif 000008
【図８】
0005534778.tif 000009
【図９】
0005534778.tif 000010
【図１０】
0005534778.tif 000011
【図１１】
0005534778.tif 000012
【図１２】
0005534778.tif 000013
【図１３】
0005534778.tif 000014
【図１４】
0005534778.tif 000015
【図１５】
0005534778.tif 000016
【図１６】
0005534778.tif 000017